(57)【特許請求の範囲】
【請求項１】
親局装置及び子局装置が無線回線を介して接続される無線通信システムにおいて、
前記子局装置は、無線機器に関するパフォーマンス情報を時刻情報とともに記憶することで、パフォーマンス情報の履歴情報を記憶する記憶手段と、
前記親局装置から送信された時刻指定を含むパフォーマンス情報の要求に従って、前記記憶手段から指定された時刻に対応するパフォーマンス情報を読み出して、前記親局装置に送信する送信手段と、
を備えたことを特徴とする無線通信システム。
【請求項２】
請求項１に記載の無線通信システムにおいて、
前記親局装置は、
外部からの要求に応じて、前記要求を前記子局装置に送信することを特徴とする無線通信システム。
【請求項３】
請求項１又は請求項２に記載の親局装置と子局装置が無線回線を介して接続される無線通信システムにおいて、
前記無線通信システムを監視する上位監視システムを備え、
前記上位監視システムは、
前記親局装置に対し、前記子局及び時刻を指定してパフォーマンス情報の要求を送信することを特徴とする無線通信システム。
【発明の詳細な説明】
【０００１】
【発明の属する技術分野】
本発明は、多重無線通信システムにおける各局の無線機器の送信電力や受信電力、ＢＥＲ（Bit Error Rate）など、各無線機器の状態や無線回線の品質情報（以下これらを「パフォーマンス情報」という）の監視を行う無線通信システムに関する。
【０００２】
【従来の技術】
図９は、従来の多重無線監視制御システムの構成例を示す。図９に示すようにこの多重無線監視制御システムは、親局装置１００及び多数の子局装置１１０が無線回線１２０を介して接続される多重無線通信システムを上位監視システム１３０が監視するシステムである。多数の子局装置１１０には中継局が含まれる。以下、概要を説明する。
【０００３】
親局装置１００は、全局監視部１０１と自局監視部１０２と無線機器１０３とで構成され、全局監視部１０１は、ネットワークを介して上位監視システム１３０に接続される。また、子局装置１１０は、自局監視部１１１と無線機器１１２とで構成される。
無線機器１０３、１１２は、自局監視部１０２、１１１に監視情報を出力する。監視情報は、警報情報とパフォーマンス情報とからなる。警報情報は、無線機器１０３、１１２が警報を発した時点で自局監視部１０２、１１１に出力される。子局装置１１０の自局監視部１１１は、無線機器１１２から警報情報が入力すると、時間遅れなく無線回線１２０を介して親局装置１００へ送信する。親局装置１００の全局監視部１０１は、自局監視部１０２から直接入力した警報情報、自局監視部１１１から無線回線１２０を介して入力した警報情報をネットワークを介して上位監視システム１３０へ送出する。
【０００４】
一方、無線機器１０３、１１２のパフォーマンス情報は、親局装置１００の全局監視部１０１が上位監視システム１３０からの要求に応じて次のように収集し上位監視システム１３０へ送出する。即ち、上位監視システム１３０が指定する局には、親局装置１００と子局装置１１０の双方が含まれるが、例えば指定が子局装置１１０である場合は、全局監視部１０１は、上位監視システム１３０が指定した子局装置１１０に対し無線回線１２０を介して情報収集の要求を発する。すると、該当する子局装置１１０の自局監視部１１１は、無線機器１１２から要求時点でのパフォーマンス情報を取得し、それを無線機器１１２に与え、無線回線１２０を介して親局装置１００へ送出させる。親局装置１００の全局監視部１０１は、このようにして収集したパフォーマンス情報を上位監視システム１３０へ送出する。
【０００５】
【発明が解決しようとする課題】
上位監視システムは、配下の多重無線通信システムにおける個々の無線機器の状態や無線回線の品質を把握するために以上の手順で各無線機器のパフォーマンス情報を収集し監視に利用するが、従来では、各局は、上位監視システムから要求があった時点のパフォーマンス情報を送信（通知）するのみである。
【０００６】
そうすると、このパフォーマンス情報によって無線機器の経年変化などを統計的に解析しようとする場合や無線回線の障害などの障害発生原因の究明をしようとする場合には、無線機器の履歴を知る必要があるが、上述した従来の収集方式でそれを実現するには、上位監視システムは、収集する時間間隔を狭くして頻繁に要求を出す必要がある。これでは、配下の多重無線通信システムの数が増加す傾向にある状況を考慮すると、パフォーマンス情報用に大容量の伝送路を用意する必要があり、実現困難である。
【０００７】
本発明の目的は、小容量の伝送路で各無線機器の履歴を示すパフォーマンス情報を収集できる無線通信システムを提供することにある。
【０００８】
【課題を解決するための手段】
請求項１に記載の発明は、親局装置及び子局装置が無線回線を介して接続される無線通信システムにおいて、子局装置は、無線機器に関するパフォーマンス情報を時刻情報とともに記憶することで、パフォーマンス情報の履歴情報を記憶する記憶手段と、親局装置から送信された時刻指定を含むパフォーマンス情報の要求に従って、記憶手段から指定された時刻に対応するパフォーマンス情報を読み出して、親局装置に送信する送信手段とを備えたことを特徴とする。
請求項２に記載の発明は、請求項１に記載の無線通信システムにおいて、親局装置は、外部からの要求に応じて、要求を子局装置に送信することを特徴とする。
請求項３に記載の発明は、請求項１又は請求項２に記載の親局装置と子局装置が無線回線を介して接続される無線通信システムにおいて、無線通信システムを監視する上位監視システムを備え、上位監視システムは、親局装置に対し、子局及び時刻を指定してパフォーマンス情報の要求を送信することを特徴とする。
【０００９】
【発明の実施の形態】
以下、本発明の実施の形態を図面を参照して説明する。
図１は、本発明の第１の実施形態を示すブロック図であり、請求項１乃至請求項３に対応する無線通信システムである。図１に示すように、親局装置１及び中継局を含む多数の子局装置２が無線回線３を介して接続される無線通信システムにおいて、親局装置１及び中継局を含む多数の子局装置２は、それぞれ、記憶手段１１，２１と、自局の無線機器１２，２２のパフォーマンス情報ａ１を常時収集し時刻情報と共に記憶手段１１、２１に格納する収集手段１３，２３とを備え、中継局を含む多数の子局装置２は、それぞれ、親局装置１からの要求ｂ１に応じて記憶手段２１から該当する時刻情報付きパフォーマンス情報ａ２を読み出し無線機器２２に無線回線３の特定チャネルで無線送信させる送信手段２４を備える。
【００１０】
即ち、親局装置１及び中継局を含む多数の子局装置２は、それぞれ、収集手段１３，２３が、自局の無線機器１２，２２のパフォーマンス情報ａ１を常時収集し時刻情報と共に記憶手段１１，２１に格納する。そして、中継局を含む多数の子局装置２では、それぞれ、送信手段２４が、親局装置１からの要求ｂ１に応じて記憶手段２１から該当する時刻情報付きパフォーマンス情報ａ２を読み出し無線機器２２に無線回線３の特定チャネルで無線送信させる。
【００１１】
したがって、親局装置は、時刻を指定して要求することにより、無線機器の履歴を示すパフォーマンス情報を収集できる。
また、親局装置１は、外部からの要求に応じて自局または該当する中継局を含む多数の子局装置２から時刻情報付きパフォーマンス情報ａ２を収集し、要求元へ送信する収集送信手段１４を備える。
【００１２】
即ち、親局装置は、収集送信手段１４が、外部からの送信要求ｂ２が自局向けである場合は自局の記憶手段１１から時刻情報付きパフォーマンス情報ａ２を収集し、また外部からの送信要求ｂ２が子局装置２向けである場合は該当子局装置２から請求項１に記載の方法で時刻情報付きパフォーマンス情報ａ２を収集し、それぞれ要求元へ送信する。
【００１３】
したがって、親局装置は、要求元が要求する無線機器の履歴を示すパフォーマンス情報を収集でき、要求元へ送信できる。
また、上位監視システム４は、親局装置１に対し、局及び時刻を指定してパフォーマンス情報の送信を要求する手段を備える。
【００１４】
即ち、上位監視システム４は、親局装置１に対し、局及び時刻を指定してパフォーマンス情報の送信要求ｂ２を発すると、親局装置１から該当無線機器の時刻情報付きパフォーマンス情報ａ２を受け取ることができる。したがって、上位監視システムは、要求間隔を短くして頻繁に送信要求を出す必要がなく、小容量の伝送路で無線機器の履歴を示すパフォーマンス情報を収集できる。
【００１５】
図２は、本発明の第２の実施形態を示すブロック図であり、請求項１乃至請求項３に対応する実施形態の無線通信システムを備える多重無線監視制御システムの構成図である。この実施形態が適用される多重無線通信システムは、図２において、無線回線を介して接続される端局３０と中間中継局４０と端局５０とで構成される。そして、端局３０には搬送端局６０ａが接続され、端局５０には搬送端局６０ｂが接続される。搬送端局６０ａ，６０ｂは、それぞれ光ファイバを伝送路とする交換網へ接続されている。
【００１６】
斯かる多重無線通信システムにおいて、端局３０は、上位監視システム７０に接続され、監視システムの親局装置となり、中間中継局４０と端局５０は監視システムの子局装置となる構成である。
端局３０，５０は、無線端局部ａ、無線送受信部ｂ、回線切替制御部ｃ、自局監視制御部ｄ、ＤＳＣ（Ｄｉｇｉｔａｌ  Ｓｅｒｖｉｃｅ  Ｃｈａｎｎｅｌ）インターフェース部ｅを備える。
【００１７】
そして、監視システムの親局装置となる端局３０は、上位監視システム７０の指示を実行する全局監視制御部３１を備える。また、中間中継局４０は、無線送受信部ｂ、自局監視制御部ｄ、ＤＳＣインターフェース部ｅを備える。端局３０の無線端局部ａには、搬送端局６０ａが接続され、端局５０の無線端局部ａには、搬送端局６０ｂが接続される。
【００１８】
搬送端局６０ａから搬送端局６０ｂへ信号を伝送する場合の動作概要を説明する。一方の搬送端局６０ａからの光伝送信号は、端局３０の無線端局部ａに入力し、電気信号（ユニポーラ信号）に変換される。変換されたユニポーラ信号は、無線送受信部ｂにて変調され、無線高周波信号となり隣接局（図示例では中間中継局４０）に無線送信される。中間中継局４０では、無線送受信部ｂにおいて、受信された無線高周波信号が一度復調され、ビット誤り訂正を行った後、再び無線高周波信号となり隣接局（図示例では端局５０）へ無線送信される。端局５０では、無線送受信部ｂにおいて、受信した高周波信号が電気信号（ユニポーラ）に復調され、ビット誤り訂正が行われる。ビット誤り訂正が行われた電気信号（ユニポーラ信号）は、無線端局部ａで光伝送信号に変換され、もう一方の搬送端局６０ｂへ伝送される。
【００１９】
通常、多重無線通信システムでは、ｎ＋１切替と呼ばれるｎ本の現用回線と１本の予備回線からなる予備回線切替の制御が行われる。つまり、無線端局部ａと無線送受信部ｂは、具体的には例えば図３（ａ）（ｂ）に示すように構成される。
図３（ａ）（ｂ）は、多重無線通信システムにおいて採用される現用／予備の切替方式を備える端局３０，５０の構成例である。図３（ａ）（ｂ）では、そのｎ＋１切替の構成例を示してある。但し、図３（ａ）（ｂ）は、搬送端局６０ａから搬送端局６０ｂへ信号を伝送する場合の構成例である。
【００２０】
図３（ａ）（ｂ）において、端局３０，５０では、無線送受信部ｂがｎ＋１個設けられる。また、端局３０の無線端局部ａでは、ｎ＋１個の無線送受信部ｂに接続されるｎ個のＳＷ部ａ１１と、このｎ個のＳＷ部ａ１１と搬送端局６０ａとの間に設けられるｎ個の光／電気変換部ａ１２とが設けられる。一方、端局５０の無線端局部ａでは、ｎ＋１個の無線送受信部ｂに接続されるｎ個のＳＷ部ａ１１と、このｎ個のＳＷ部ａ１１と搬送端局６０ｂとの間に設けられるｎ個の電気／光変換部ａ１３とが設けられる。
【００２１】
回線切替制御部ｃは、無線回線の監視情報に基づきｎ個のＳＷ部ａ１１の切替制御を行い、現用／予備の切替を行う。つまり、搬送端局６０ａからの光伝送信号は、端局３０の無線端局部ａの光／電気変換部ａ１２により電気信号（ユニポーラ信号）に変換される。変換されたユニポーラ信号は、ＳＷ部ａ１１を介して現用の無線送受信部ｂに入力されるが、現用回線に異常が発生すると、回線切替制御部ｃの制御下に切替動作を行うＳＷ部ａ１１によって予備の無線送受信部ｂに切り替えられる。
【００２２】
図２に戻って、自局監視制御部ｄは、端局３０，５０では、自局内の無線端局部ａと無線送受信部ｂ等の無線機器の監視制御を行い、中間中継局４０では、無線送受信部ｂ等の無線機器の監視制御を行う。そして、端局３０の自局監視制御部ｄは、監視情報を要求に応じて全局監視制御部３１へ出力する。中間中継局４０と端局５０の自局監視制御部ｄは、監視結果を端局３０からの要求に応じてＤＳＣインターフェース部ｅへ出力する。
【００２３】
ＤＳＣインターフェース部ｅは、自局内の監視情報の局間通信を無線回線の特定チャネルであるＤＳＣを介して行うためのタイミング制御や信号の挿入・抽出等を行う。ＤＳＣは、各種の制御情報の伝送に利用されるチャネルであるが、この実施形態では、パフォーマンス情報，警報情報の伝送に利用する。
端局３０の全局監視制御部３１は、無線ルート内監視局（図示例では自局端局３０、中間中継局４０、端局５０）の情報を収集し、上位監視システム７０に監視情報を通知する。
【００２４】
次に、端局３０、中間中継局４０、端局５０の詳細を図４〜図６を参照して説明する。
図４は、端局３０の詳細構成図である。無線送受信部ｂは、変復調部ｂ−１，送受信部ｂ−２，ＡＭＰ部ｂ−３などの無線機器、機器情報受信部ｂ−４、パフォーマンス情報受信部ｂ−５を備える。機器情報受信部ｂ−４は、無線機器のアラーム・ステータス情報を受信する。パフォーマンス情報受信部ｂ−５は、無線機器の送信電力、受信入力レベル、ビット誤り率等のパフォーマンス情報を受信する。
【００２５】
自局監視制御部ｄは、自局機器情報収集処理部ｄ−１と、自局パフォーマンス情報収集処理部ｄ−２とを備え、無線送受信部ｂの監視情報を収集する。即ち、自局機器情報収集処理部ｄ−１は、無線送受信部ｂのアラーム・ステータス情報を収集する。自局パフォーマンス情報収集処理部ｄ−２は、記憶部（図７参照）を備え、無線送受信部ｂのパフォーマンス情報を収集し、それを機器名、収集時刻と関連付けて記憶部に逐一格納する。
【００２６】
全局監視制御部３１は、全局機器情報収集処理部３１ａ，全局パフォーマンス情報収集処埋部３１ｂ、回線切替制御情報収集処理部３１ｃ、全監視情報処理部３１ｄ、上位監視システムインターフェース部３１ｅ，機器情報表示部３１ｆ等を備える。この全局監視制御部３１は、自局を含む各局の機器情報（アラーム・ステータス）、パフォーマンス情報、回線切替情報を収集して表示し、上位監視システムへの通知を行う。
【００２７】
具体的には、全監視情報処理部３１ｄは、自局の監視情報を自局監視制御部ｄから収集し、他局の監視情報をＤＳＣインターフェース部ｅから収集し、回線切替情報を自局の回線切替制御部ｃから収集する。そして、全監視情報処理部３１ｄは、収集した情報を処理し、機器情報表示部３１ｆに表示し、必要な情報を上位監視システムインターフェ一ス部３１ｅを通じて上位監視システム７０へ通知する。
【００２８】
次に、図５は、中間中継局の詳細構成図である。中間中継局４０では、無線送受信部ｂ、自局監視制御部ｄ、ＤＳＣインターフェース部ｅが、端局３０のそれらと同様に構成され、同様に機能する。即ち、この中間中継局４０では、無線送受信部ｂの監視情報が自局監視制御部ｄで収集されＤＳＣインターフェース部ｅを通して親局装置（端局３０）へ送信される。
【００２９】
次に、図６は、端局５０の詳細構成図である。端局５０も無線送受信部ｂ、自局監視制御部ｄ、ＤＳＣインターフェース部ｅが、端局３０と同様に構成され、同様に無線送受信部ｂの監視情報が自局監視制御部ｄで収集されＤＳＣインターフェース部ｅを通して親局装置（端局３０）へ送信される。但し、回線切替の情報は、無線端局部ａから主信号のオーバーヘッド部のチヤンネルを利用して対抗端局の回線切替制御部へ伝送される。
【００３０】
さて、図７を参照して請求項１乃至請求項３に対応する実施形態の無線機器のパフォーマンス情報の監視方式について説明する。図７は、自局監視制御部ｄ内の自局パフォーマンス情報収集処理部ｄ−２及び周辺の構成を示す。
図７において、自局パフォーマンス情報収集処理部ｄ−２は、論理処理部ｄ−２１と、これに接続される通信処理部ｄ−２２，ｄ−２３、記憶部ｄ−２４を備える。また、無線送受信部ｂのパフォーマンス情報受信部ｂ−５は、通信処理部ｂ−５１を備え、この通信処理部ｂ−５１は、自局パフォーマンス情報収集処理部ｄ−２の通信処理部ｄ−２２に接続される。
【００３１】
なお、自局パフォーマンス情報収集処理部ｄ−２の通信処理部ｄ−２３は、中間中継局４０と端局５０では、無線回線を介して親局装置たる端局３０の全局パフォーマンス情報収集処理部３１ｂに接続され、親局装置たる端局３０では、直接全局パフォーマンス情報収集処理部３１ｂに接続される。
無線機器のパフォーマンス情報には、送信電カ、受信電力、ＢＥＲなどの情報がある。ここに、送信電力は、送受信部ｂ−２（図４〜図６参照）の送信電力値［ｄＢｍ］で示される。受信電力は、送受信部ｂ−２の受信電力値［ｄＢｍ］で示される。ＢＥＲは、変復調部ｂ−１（図４〜図６参照）で検出される主信号のビット誤り率で示される。
【００３２】
これらの情報は、無線送受信部ｂ内のパフォーマンス情報受信部ｂ−５に電圧値（送信電カ，受信電力等）やパルス情報（ＢＥＲ等）として入力される。その値は、パフォーマンス情報受信部ｂ−５内の通信処理部ｂ−５１で予め用意された変換テーブルをもとにディジタル情報へ変換される。
変換されたディジタル情報は、自局パフォーマンス情報収集処理部ｄ−２の通信処埋部ｄ−２２が各パフォーマンス情報受信部ｂ−５内の通信処理部ｂ−５１を常時一定の周期でポーリングすることによって通信処埋部ｄ−２２に収集される。収集された情報は、論理処理部ｄ２１に取り込まれ、ここで時刻・機器識別情報が付され、記憶部ｄ−２４に保持される。
【００３３】
記憶部ｄ−２４に保持されたデータは、通信処理部ｄ−２３が読み出し、全局パフォーマンス情報収集処理部３１ｂへ送出される。なお、記憶部ｄ−２４では、保持されたデータは一杯になり次第、データの古い順に上書きされる。
以上の構成において図１に示す第１の実施形態との対応関係は、次のようになっている。親局装置１には、端局３０が対応する。中継局を含む多数の子局２には、中間中継局４０と端局５０とが対応する。記憶手段１１,１２には、記憶部ｄ-２４が対応する。無線機器１２、２２には、変復調部ｂ−１，送受信部ｂ−２，ＡＭＰ部ｂ−３の全体が対応する。
【００３４】
収集手段１３，２３には、主としてパフォーマンス情報受信部ｂ−５の通信処理部ｄ−５１と自局パフォーマンス情報処理部の論理処理部ｄ−２１，通信処理部ｄ−２２の全体が対応する。収集送信手段１４には、主として全局パフォーマンス情報収集処理部ｂが対応する。送信手段２４には、主として通信処理部ｄ−２３が対応する。上位監視システム４には、上位監視制御システム７０が対応する。
【００３５】
以下、図８を参照してこの実施形態の無線機器のパフォーマンス情報の監視方式の動作を説明する。図８は、パフォーマンス情報収集の全体の流れを示す。なお、図８では、端局３０を親局３０、中間中継局４０を子局４０、端局５０を子局５０としてある。
前述したように、各局の自局監視制御部ｄは、常時、無線機器のパフォーマンス情報の収集を行い、自局パフォーマンス情報収集処理部ｄ−２の記憶部ｄ−２４に保持する動作をしている。上位監視システム７０は、情報の種類、場所、機器及び時刻のデータ収集の要求を親局３０の全監視情報処理部３１ｄに出す。全監視情報処理部３１ｄは、要求に応じて全局パフォーマンス情報収集処理部３１ｂへ要求を出力する。全局パフォーマンス情報収集処理部３１ｂでは、要求に含まれる場所情報に基づき、要求された局の自局パフォーマンス情報収集処理部ｄ−２に対し要求を出力する。
【００３６】
自局パフォーマンス情報収集処理部ｄ−２は、指定された時刻・機器の情報を記憶部ｄ−２４から読み出し、読み出した指定のパフォーマンス情報を全局パフォーマンス情報収集処理部３１ｂに対し送信する。このとき、子局４０，５０はパフォーマンス情報を無線回線の特定チャネルであるＤＳＣで送信する。
親局３０では、全局パフォーマンス情報収集処理部３１ｂが以上のように収集したデータが、全監視情報処埋部３１ｄを介して上位監視システム７０に伝達される。即ち、上位監視システム７０では、各局が、自局の無線機器のパフォーマンス情報を時刻情報と共に記憶保持しているので、ほぼ従来と同様の間隔で送信要求を出すだけで、履歴情報を持つパフォーマンス情報を収集できる。
【００３７】
斯くして、この実施形態では、各局が一度に送信するデータ量を多くしないで済むので、小容量の伝送路であるＤＳＣを利用でき、簡易な構成の監視システムが構築できる。
【００３８】
【発明の効果】
以上説明したように、請求項１に記載の発明では、親局装置は、無線機器の履歴を示すパフォーマンス情報を収集できる。
【００３９】
請求項２に記載の発明では、親局装置は、要求元が要求する無線機器の履歴を示すパフォーマンス情報を収集して、要求元へ送信できる。
請求項３に記載の発明では、上位監視システムは、親局装置に対し、局及び時刻を指定してパフォーマンス情報の送信を要求すると、親局装置から該当無線機器のパフォーマンス情報を時刻情報と共に受け取ることができる。したがって、上位監視システムは、要求間隔を短くして頻繁に送信要求を出す必要がなく、小容量の伝送路で無線機器の履歴を示すパフォーマンス情報を収集できる。
【００４０】
以上要するに、本発明によれば、上位監視システムは、簡易に各局の無線機器のパフォーマンス情報を時刻情報と共に取得できるので、無線回線障害時等の原因究明や、無線機器の経年劣化などの統計的解析が可能になる。したがって、無線機器の老朽化判断などに非常に有効な監視情報の取得が可能な監視システムを提供できる。
【図面の簡単な説明】
【図１】請求項１乃至請求項３に対応する第１の実施形態を示すブロック図である。
【図２】請求項１乃至請求項３に対応する第２の実施形態を示すブロック図である。
【図３】多重無線通信システムにおいて採用される現用／予備の切替方式の構成例である。（ａ）は端局３０の構成例である。（ｂ）は端局３０の構成例である。
【図４】端局３０の詳細構成図である。
【図５】中間中継局の詳細構成図である。
【図６】端局５０の詳細構成図である。
【図７】自局パフォーマンス情報収集処理部及び周辺の構成を示す図である。
【図８】請求項１乃至請求項３に対応する実施形態のパフォーマンス情報収集の動作説明図である。
【図９】従来の多重無線監視制御システムの構成図である。
【符号の説明】
１  親局装置
２  中継局を含む子局装置
３  無線回線
４  上位監視システム
１１、２１  記憶手段
１２、２２  無線機器
１３、２３  収集手段
１４  収集送信手段
２４  送信手段
３０、５０  端局
４０  中間中継局
３１  全局監視制御部
３１ｂ  全局パフォーマンス情報収集処理部
６０ａ、６０ｂ  搬送端局
７０  上位監視システム
ａ  無線端局部
ｂ  無線送受信部
ｂ−１  変復調部
ｂ−２  送受信部
ｂ−３  ＡＭＰ部
ｂ−５  パフォーマンス情報受信部
ｂ−５１  通信処理部
ｃ  回線切替部
ｄ  自局監視制御部
ｄ−２  自局パフォーマンス情報収集処理部
ｄ−２１  論理処理部
ｄ−２２、ｄ−２３  通信処理部
ｄ−２４  記憶部
ｅ  ＤＳＣインターフェース部
【図１】
0003612176.tif 000002
【図２】
0003612176.tif 000003
【図３】
0003612176.tif 000004
【図４】
0003612176.tif 000005
【図５】
0003612176.tif 000006
【図６】
0003612176.tif 000007
【図７】
0003612176.tif 000008
【図８】
0003612176.tif 000009
【図９】
0003612176.tif 000010